(57)【要約】      （修正有）【課題】建物の外観に及ぼす影響を抑えつつ、屋内スペースを広くとることができる排水システムを提供する。【解決手段】排水システム１０は、器具排水管１２、排水横管１４および排水立て管１６などの排水管を含み、２階または３階に設置されたトイレ等の排水器具１０２からの排水を屋外の排水管路に導く。排水管１２，１４，１６の床下配管部分には、分岐口２４ａが形成され、この分岐口２４ａに対して通気管１８が接続される。通気管１８は、床下空間１０６を通って建物１００の外壁１１８の屋外側まで延び、屋外に開放され、通気管１８には、先端開口部からの排水の飛び出しを防ぐために、立上り管部３４または逆止機能を有する通気弁などの逆止部が設けられる。【選択図】図１
2015055070.tif 000002
【特許請求の範囲】
【請求項１】
建物の２階または３階に設置された排水器具からの排水を屋外に導くための排水システムであって、
前記排水器具が備える排水トラップの下流側に接続されて、前記排水器具の設置階の床下空間まで延びる器具排水管、
前記器具排水管の下流側に接続されて、前記床下空間を通って前記排水器具の設置階よりも下の階に設けられるパイプスペースの近傍まで延びる排水横管、
前記排水横管の下流側に接続されて、前記パイプスペースを通って下方に延びる排水立て管、
前記器具排水管、前記排水横管および前記排水立て管のいずれかの前記床下空間を通る配管部分に形成される分岐口、
前記分岐口に接続されて、前記床下空間を通って前記建物の外壁の屋外側まで延び、屋外に開放される通気管、および
前記通気管に設けられ、当該通気管の先端開口部からの排水の飛び出しを防ぐ逆止部を備える、排水システム。
【請求項２】
前記通気管は、前記逆止部として前記排水トラップの封水上面よりも高い位置まで延びる立上り管部を有する、請求項１記載の排水システム。
【請求項３】
前記通気管の立上り管部は、前記外壁の壁内を通るように配管される、請求項２記載の排水システム。
【請求項４】
前記通気管には、前記逆止部として排水の逆流を防ぐ逆止機能を有する通気弁が設けられる、請求項１記載の排水システム。
【請求項５】
前記器具排水管、前記排水横管および前記排水立て管のいずれかの前記床下空間を通る配管部分に形成される第２分岐口、および
前記第２分岐口を前記通気管に連通させる第２通気管をさらに備える、請求項１ないし４のいずれかに記載の排水システム。
【発明の詳細な説明】
【技術分野】
【０００１】
この発明は排水システムに関し、特にたとえば、建物の２階または３階に設置された排水器具からの排水を屋外に導くための排水システムに関する。
【背景技術】
【０００２】
従来、２階建てまたは３階建て等の低層の建物においては、２階または３階に設置されたトイレ等の排水器具からの排水を屋外の排水管路に導く排水システムとして、図６または図７に示すような排水システム１，２が一般的に用いられている。
【０００３】
図６に示す排水システム１では、排水器具が備える排水トラップの下流側に接続される器具排水管３、器具排水管３の下流側に接続されて、上階の床下空間を通って屋外まで延びる排水横管４、および排水横管４の下流側に接続されて、外壁に沿って下方に延びる排水立て管５を備える。そして、排水立て管５の上流側端部には、管路内に負圧が生じた場合に管路内に空気を取り入れて排水トラップの破封を防ぐための伸頂通気管６が設けられる。また、伸長通気管６の先端開口部には、異物の入り込みを防ぐためのベントキャップが設けられたり、臭気の漏れを防ぐための通気弁（吸気弁）が設けられたりする。ところが、図６に示すような壁出し配管タイプの排水システム１では、排水立て管５および伸頂通気管６が屋外に大きく露出するので、建物の外観が悪くなるという問題がある。
【０００４】
このため近年では、図７に示すように、屋内にパイプスペース（ＰＳ，パイプシャフトとも言う。）７を設け、そこに排水管を配管する屋内配管タイプの排水システム２が主流となっている。具体的には、図７に示す排水システム２では、排水立て管５および伸長通気管６がパイプスペース７内に配管される。なお、伸長通気管６が屋内で開口することから、伸長通気管６には臭気の漏れを防ぐための通気弁８が必要となる。
【発明の概要】
【発明が解決しようとする課題】
【０００５】
しかしながら、図７に示すような従来の屋内配管タイプの排水システム２では、伸頂通気管６および通気弁８等を設置するためのパイプスペース７を屋内に設けるので、屋内スペースが制限されてしまうという問題がある。また、通気弁８を点検、維持管理するための点検口も必要となる。
【０００６】
それゆえに、この発明の主たる目的は、新規な、排水システムを提供することである。
【０００７】
この発明の他の目的は、建物の外観に与える影響を抑えつつ、屋内スペースを広くとることができる、排水システムを提供することである。
【課題を解決するための手段】
【０００８】
第１の発明は、建物の２階または３階に設置された排水器具からの排水を屋外に導くための排水システムであって、排水器具が備える排水トラップの下流側に接続されて排水器具の設置階の床下空間まで延びる器具排水管、器具排水管の下流側に接続されて床下空間を通って排水器具の設置階よりも下の階に設けられるパイプスペースの近傍まで延びる排水横管、排水横管の下流側に接続されてパイプスペースを通って下方に延びる排水立て管、器具排水管、排水横管および排水立て管のいずれかの床下空間を通る配管部分に形成される分岐口、分岐口に接続されて床下空間を通って建物の外壁の屋外側まで延び、屋外に開放される通気管、および通気管に設けられて当該通気管の先端開口部からの排水の飛び出しを防ぐ逆止部を備える、排水システムである。
【０００９】
第１の発明では、排水システムは、器具排水管、排水横管および排水立て管などの排水管を含み、２階または３階に設置されたトイレ等の排水器具からの排水を屋外の排水管路に導く。器具排水管は、排水器具が備える排水トラップの下流側に接続されて、当該排水器具の設置階の床下空間まで延び、排水横管は、器具排水管の下流側に接続されて、床下空間を通ってその階下に設けられるパイプスペースの近傍まで延びる。また、排水立て管は、排水横管の下流側に接続されて、パイプスペースを通って下方に延び、その下流側は、基礎貫通管などの接続管を介して屋外の宅地ますに接続される。また、器具排水管、排水横管および排水立て管を含む排水管の床下配管部分には、分岐口が形成され、この分岐口に対して通気管が接続される。通気管は、床下空間を通って建物の外壁の屋外側まで延び、その先端開口部は屋外に開放される。また、通気管には、先端開口部からの排水の飛び出しを防ぐために、立上り管部または排水の逆流を防ぐ逆止機能を有する通気弁などの逆止部が設けられる。
【００１０】
第１の発明によれば、排水管の床下配管部分から小口径の通気管を分岐させて、床下空間を通して外壁の屋外側まで配管するようにしたので、建物の外観に及ぼす影響を抑えることができると共に、上階（排水器具の設置階）のパイプスペースが不要となり、その分だけ屋内スペースを広くとることができるようになる。
【００１１】
第２の発明は、第１の発明に従属し、通気管は、逆止部として排水トラップの封水上面よりも高い位置まで延びる立上り管部を有する。
【００１２】
第２の発明では、通気管は、排水トラップの封水上面よりも高い位置（好ましくは１５０ｍｍ以上高い位置）まで延びる立上り管部を有しており、この立上り管部が逆止部として機能する。すなわち、通気管内に排水が浸入してきた場合でも、通気管の先端開口部に排水が到達するよりも先に排水トラップの封水があふれるため、通気管の先端開口部からの排水の飛び出しが防止される。
【００１３】
第３の発明は、第２の発明に従属し、通気管の立上り管部は、外壁の壁内を通るように配管される。
【００１４】
第３の発明では、建物の外壁の壁内を通るようにして、たとえば柱や間柱の間の断熱材充填層に埋め込むようにして、通気管の立上り管部が配管される。
【００１５】
第３の発明によれば、通気管が屋外にほとんど露出しないので、建物の外観に及ぼす影響を最小限に抑えることができる。
【００１６】
第４の発明は、第１の発明に従属し、逆止部として排水の逆流を防ぐ逆止機能を有する通気弁が設けられる。
【００１７】
第４の発明では、通気管には、排水の逆流を防ぐ逆止機能を有する通気弁、つまり通気管内への外気の吸い込みは許可するが、通気管内から外部への臭気および排水の排出は規制する通気弁が設けられる。
【００１８】
第４の発明によれば、通気管に逆止機能を有する通気弁を設けるので、通気管からの排水の飛び出しおよび臭気の漏れを確実に防止できる。
【００１９】
第５の発明は、第１ないし第４のいずれかの発明に従属し、器具排水管、排水横管および排水立て管のいずれかの床下空間を通る配管部分に形成される第２分岐口、および第２分岐口を通気管に連通させる第２通気管をさらに備える。
【００２０】
第５の発明では、器具排水管、排水横管および排水立て管を含む排水管の床下配管部分には、分岐口とは別に、第２分岐口が形成される。そして、床下空間内において、第２分岐口と通気管とが第２通気管によって連通される。
【００２１】
第５の発明によれば、通気性能が向上するので、より円滑に排水を流すことができ、より確実に排水トラップの破封を防止することができる。
【発明の効果】
【００２２】
この発明によれば、排水管の床下配管部分から小口径の通気管を分岐させて、床下空間を通して外壁の屋外側まで配管するようにしたので、建物の外観に及ぼす影響を抑えることができると共に、上階（排水器具の設置階）のパイプスペースが不要となり、その分だけ屋内スペースを広くとることができるようになる。
【００２３】
この発明の上述の目的、その他の目的、特徴および利点は、図面を参照して行う後述の実施例の詳細な説明から一層明らかとなろう。
【図面の簡単な説明】
【００２４】
【図１】この発明の排水システムの一実施例を示す図解図である。
【図２】図１の排水システムの床下配管部分を拡大して示す断面図である。
【図３】この発明の排水システムの他の実施例を示す図解図である。
【図４】この発明の排水システムのさらに他の実施例を示す図解図である。
【図５】この発明の排水システムのさらに他の実施例を示す図解図である。
【図６】従来の壁出し配管タイプの排水システムの一例を示す図解図である。
【図７】従来の屋内配管タイプの排水システムの一例を示す図解図である。
【発明を実施するための形態】
【００２５】
図１を参照して、この発明の一実施例である排水システム１０は、２階建てまたは３階建て等の低層の建物１００に適用され、２階または３階に設置されたトイレ、シンク、洗濯機および風呂などの排水器具からの排水を屋外の排水管路に導く。この実施例では、２階建ての木造住宅において、２階のトイレからの汚水を流す汚水管に対して排水システム１０を適用した場合を例示して説明する。
【００２６】
図１および図２に示すように、排水システム１０は、器具排水管１２、排水横管１４および排水立て管１６などの排水管、ならびに通気管１８などを含む。なお、説明に際して、器具排水管１２、排水横管１４および排水立て管１６を区別する必要のない場合には、単に排水管１２，１４，１６として記載することとする。
【００２７】
器具排水管１２は、トイレ（排水器具）１０２が備える排水トラップ１０４からの排水を排水横管１４まで搬送するための排水管であり、排水トラップ１０４の下流側に接続されて、２階の床下空間（１階の天井裏）１０６まで延びる。排水横管１４は、器具排水管１２からの排水を排水立て管１６まで搬送するための排水管であり、器具排水管１２の下流側に接続されて、２階の床下空間１０６を通って１階のパイプスペース１０８の近傍まで延びる。また、排水立て管１６は、排水横管１４からの排水を下方に搬送するための排水管であり、排水横管１４の下流側に接続されて、パイプスペース１０８および１階の床下空間１１０を通って基礎１１２まで延びる。そして、排水立て管１６の下流側は、基礎１１２を貫通する基礎貫通管１１４などの接続管を介して屋外の宅地ます１１６に接続される。これら排水管１２，１４，１６の内径は、たとえば７５ｍｍである。
【００２８】
排水管１２，１４，１６は、硬質塩化ビニル等の合成樹脂製の管や継手などを適宜連結することによって形成され、具体的には、上流側から順に、短管状の縦管２０、エルボ状の脚部継手２２、横管部２４ａとその側壁上部に形成される分岐口２４ｂとを有する分岐継手２４、短管状の横管２６、エルボ状の頂部継手２８、および長尺の縦管３０を連結することによって形成される。ここで、縦管２０および脚部継手２２の縦管部分は、器具排水管１２を構成し、脚部継手２２の横管部分、分岐継手２４の横管部２４ａ、横管２６および頂部継手２８の横管部分は、排水横管１４を構成し、頂部継手２８の縦管部分および縦管３０は、排水立て管１６を構成する。
【００２９】
また、排水管１２，１４，１６には、排水管１２，１４，１６内で負圧が生じた場合に管路内に空気を取り入れることによって、排水の流れを円滑に保ち、排水トラップ１０４の破封を防ぐための通気管１８が設けられる。通気管１８は、排水管１２，１４，１６の内、２階の床下空間１０６を通る配管部分に形成される分岐口２４ｂに接続される。この実施例では、上述のように、脚部継手２２の下流側に接続した分岐継手２４が分岐口２４ｂを有しており、この分岐口２４ｂに通気管１８が接続される。なお、分岐口２４ｂの形成位置（排水管１２，１４，１６に対する通気管１８の接続位置）は、２階の床下空間１０６内であれば適宜変更可能であり、器具排水管１２の側壁または排水立て管１６の側壁に形成することもできるが、通気管１８内に排水が浸入し難いように、分岐口２４ｂは排水横管１４の側壁上部に形成することが好ましい。また、通気管１８の配管長さを短くできるように、建物１００の外壁１１８の近傍位置を通る配管部分に分岐口２４ｂを形成することが好ましい。
【００３０】
通気管１８は、横管部３２および立上り管部３４を含み、硬質塩化ビニル等の合成樹脂製の管や継手などを適宜連結することによって形成される。横管部３２は、２階の床下空間１０６を通って所定の上り勾配（たとえば、１／２００）で建物１００の外壁１１８の壁内まで延びる。また、立上り管部３４は、横管部３２の端部から上方に屈曲し、外壁１１８の壁内を通って排水トラップ１０４の封水上面（あふれ縁）１２０よりも高い位置（好ましくは１５０ｍｍ以上高い位置）まで延びる。そして、立上り管部３４の端部は横方向に屈曲して外壁１１８の屋外側まで延び、通気管１８の先端開口部は、屋外に開放される。このような通気管１８の内径は、たとえば２５ｍｍである。
【００３１】
ここで、木造住宅の外壁構造は、一般的な内断熱壁では、柱や間柱（構造材）の屋内側および屋外側の側面をパネル等で覆い、柱や間柱の間に断熱材が充填された構造となっている。したがって、通気管１８の立上り管部３４を外壁１１８の壁内に配管するに際しては、断熱材充填層に立上り管部３４を埋め込むようにして配管するとよい。また、外断熱壁では、柱や間柱の屋外側の側面に断熱材が外張りされ、柱や間柱の間は空洞となっている場合が多いので、その空洞部に通気管１８の立上り管部３４を配管するとよい。さらに、建物１００が鉄筋コンクリート製の外壁１１８を有する場合には、コンクリート部分に通気管１８の立上り管部３４を埋め込むようにして配管するとよい。なお、通気管１８は小口径であるので、外壁１１８の壁内に配管したとしても、断熱材の断熱性や構造材の強度に与える影響は小さい。
【００３２】
また、通気管１８の先端開口部には、ベントキャップ３６が設けられる。ベントキャップ３６は、通気管１８の通気機能が妨げられないように、通気管１８内に虫、ゴミおよび雪など異物が混入することを防止するものである。ベントキャップ３６としては、市販品を適宜利用するとよい。
【００３３】
このような排水システム１０では、トイレ１０２からの排水が排水管１２，１４，１６内を流れる際には、通気管１８から排水管１２，１４，１６内に空気が取り入れられることによって、排水管１２，１４，１６内に生じる負圧が軽減される。これにより、排水の流れが円滑に保たれ、排水トラップ１０４の破封が防止される。
【００３４】
ここで、通気管１８が、排水トラップ１０４の封水上面１２０よりも高い位置まで延びる立上り管部３４を有していることから、万一、通気管１８内に排水が浸入してきた場合でも、排水トラップ１０４の封水が先にあふれるため、通気管１８の先端開口部からの排水の飛び出しが防止される。つまり、通気管１８の立上り管部３４は、通気管１８の先端開口部からの排水の飛び出しを防ぐ逆止部として機能する。また、通気管１８の横管部３２が所定の上り勾配で配管されることから、万一、通気管１８内に排水や雨水などが浸入してきた場合でも、浸入した排水や雨水などを自然流下によって排水管１８内に排出することができる。
【００３５】
さらに、排水管１２，１４，１６の床下配管部分から小口径の通気管１８を分岐させて、床下空間１０６を通して外壁１１８の屋外側まで配管するようにし、排水立て管１６頂部の伸頂通気管を省略するようにしたので、２階にパイプスペースを設ける必要がなくなる。また、通気管１８の立上り管部３４を外壁１１８の壁内を通すようにしたので、屋外に露出する部分は、通気管１８の先端開口部に設けたベントキャップ３６のみとなる。さらに、通気管１８には、通気弁（吸気弁）のような可動部が設けられないので、維持管理が不要または容易となり、維持管理のための点検口も不要となる。
【００３６】
また、通常、トイレ１０２は外壁１１８の際に設置されるので、外壁１１８の屋外側まで短いルートで通気管１８を配管することができる。なお、１階のパイプスペース１０８がトイレ１０２から離れた位置に設けられる場合には、２階の床下空間１０６を通る排水横管１４はその離れたパイプスペース１０８まで延びることになるが、通気管１８については、分岐口２４ａから直近の外壁１１８に向かって延びるようにし、最短距離で外壁１１８に到達するように配管するとよい。つまり、通気管１８は、必ずしも排水横管１４に沿って延ばす必要はなく、任意の方向に延ばすことができる。
【００３７】
この実施例によれば、排水管１２，１４，１６の床下配管部分から小口径の通気管１８を分岐させて、床下空間１０６を通して外壁１１８の屋外側まで配管するようにしたので、２階（排水器具１０２の設置階）にパイプスペースを設ける必要がなくなる。したがって、パイプスペースを省略できる分だけ、２階の屋内スペースを広くとることができるようになり、建物１００の設計の自由度も大きくなる。
【００３８】
また、通気管１８の立上り管部３４を外壁１１８の壁内を通すようにしたので、屋外に露出する部分が通気管１８の先端開口部に設けたベントキャップ３６のみとなり、建物１００の外観に及ぼす影響を最小限に抑えることができる。
【００３９】
さらに、通気管１８には、通気弁のような可動部が設けられないので、維持管理が不要または容易となり、維持管理を行うための点検口も不要となる。
【００４０】
なお、上述の実施例では、通気管１８の立上り管部３４を外壁１１８の壁内を通すようにしたが、図３に示すように、立上り管部３４を外壁１１８の屋外側に配管することもできる。すなわち、図３に示す実施例では、通気管１８は、所定の上り勾配で２階の床下空間１０６を通って建物１００の外壁１１８の屋外側まで延びる横管部３２と、外壁１１８の屋外側の壁面に沿って排水トラップ１０４の封水上面１２０よりも高い位置まで延びる立上り管部３４とを有している。
【００４１】
図３に示す実施例においても、図１に示す実施例と同様に、排水管１２，１４，１６の床下配管部分から小口径の通気管１８を分岐させて、床下空間１０６を通して外壁１１８の屋外側まで配管するようにしたので、２階にパイプスペースを設ける必要がなくなり、２階の屋内スペースを広くとることができるようになる。なお、図３に示す実施例では、通気管１８の立上り管部３４も屋外に露出することになるが、通気管１８は小口径であり、立上り管部３４の配管長さも短い（たとえば５０ｃｍ）ので、建物１００の外観に与える影響は小さい。
【００４２】
また、上述の各実施例では、通気管１８の先端開口部にベントキャップ３６を設けるようにしたが、これに限定されない。通気管１８の先端開口部には、通気管１８内への吸い込み方向にのみ気体の通過を許可する通気弁（図示せず）を設けるようにしてもよい。通気弁としては、屋外設置用ドルコ通気弁などの市販品を適宜用いるとよい。これによって、通気管１８から屋外への臭気の漏れを防止できる。
【００４３】
なお、通気管１８の先端開口部に通気弁を設ける場合には、可動部を有するために維持管理が必要となるが、通気弁は屋外から点検可能であるので、点検口などを設ける必要はない。また、通気管１８の立上り管部３４が逆止部として機能するので、この場合の通気弁については、後述する通気弁４０のように排水の逆流を防ぐ逆止機能を備える必要は特にない。
【００４４】
さらに、上述の各実施例では、通気管１８に立上り管部３４を形成するようにしたが、立上り管部３４は必ずしも形成する必要はない。たとえば、図４に示すように、通気管１８の先端開口部からの排水の飛び出しを防ぐ逆止部として、排水の逆流を防ぐ逆止機能を有する通気弁４０、つまり通気管１８内への外気の吸い込みは許可するが、通気管１８内から外部への臭気および排水の排出は規制する通気弁４０を通気管１８に設けることもできる。すなわち、図４に示す実施例では、通気管１８は、所定の上り勾配で２階の床下空間１０６を通って建物１００の外壁１１８の屋外側まで延びる横管部３２を有し、通気管１８の先端開口部には、排水の逆流を防ぐ逆止機能を有する通気弁４０が設けられる。排水の逆流を防ぐ逆止機能を有する通気弁４０としては、市販品を適宜用いるとよい。
【００４５】
図４に示す実施例においても、図１に示す実施例と同様に、排水管１２，１４，１６の床下配管部分から小口径の通気管１８を分岐させて、床下空間１０６を通して外壁１１８の屋外側まで配管するようにしたので、２階にパイプスペースを設ける必要がなくなり、２階の屋内スペースを広くとることができるようになる。また、屋外に露出する部分が通気管１８の先端開口部に設けた通気弁４０のみとなるので、建物１００の外観に及ぼす影響を最小限に抑えることができる。さらに、通気管１８から屋外への臭気の漏れを防止できる。なお、図４に示す実施例では、可動部を有する通気弁４０を設けるので、維持管理が必要となるが、通気弁４０は屋外から点検可能であるので、点検口などは特に必要ない。
【００４６】
さらにまた、上述の実施例では、排水管１２，１４，１６の床下配管部分に１つの分岐口２４ａを設けるだけであったが、これに限定されず、排水管１２，１４，１６の床下配管部分に複数の分岐口を形成し、各分岐口に接続した通気管を床下空間１０６内で１つに合流させて外壁１１８の屋外側で開放させるようにしてもよい。たとえば、図５に示すように、分岐継手２４に形成される分岐口２４ａとは別に、頂部継手２８の横管部分の側壁上部に第２分岐口４２を形成し、床下空間１０６内において、第２分岐口４２と通気管１８の横管部３２とを第２通気管４４によって連通させるとよい。これによって、排水時には、排水管１２，１４，１６内に対して２箇所から空気が導入されることになる。
【００４７】
図５に示す実施例によれば、通気性能が向上するので、より円滑に排水を流すことができ、より確実に排水トラップ１０４の破封を防止することができる。
【００４８】
また、上述の各実施例では、２階のトイレからの汚水を流す汚水管に対して排水システム１０を適用したが、これに限定されない。排水システム１０は、シンク、洗濯機および風呂などからの雑排水を流す雑排水管に対して適用することもできる。また、汚水管と雑排水管とが合流して排水される合流方式の排水管に対して適用することもできる。たとえば、上述のトイレ１０２からの汚水を流す排水システム１０に対して、雑排水管が合流しても構わない。
【００４９】
また、４階建て以上の建物１００であっても、２階または３階に設置された排水器具１０２からの排水を流す排水管であれば、排水システム１０を適用可能である。
【００５０】
さらに、上で挙げた寸法などの具体的数値はいずれも単なる一例であり、製品の仕様などの必要に応じて適宜変更可能である。
【符号の説明】
【００５１】
１０  …排水システム
１２  …器具排水管
１４  …排水横管
１６  …排水立て管
１８  …通気管
２４ａ  …分岐口
３４  …通気管の立上り管部（逆止部）
３６  …ベントキャップ
４０  …通気弁（逆止部）
４２  …第２分岐口
４４  …第２通気管
１０２  …トイレ（排水器具）
１０６  …２階の床下空間
１０８  …１階のパイプスペース
１１８  …外壁
【図１】
2015055070.tif 000003
【図２】
2015055070.tif 000004
【図３】
2015055070.tif 000005
【図４】
2015055070.tif 000006
【図５】
2015055070.tif 000007
【図６】
2015055070.tif 000008
【図７】
2015055070.tif 000009